(57)【要約】【課題】  本考案は、就寝時に足先の角度調節が可能で、足先を上下から加温可能な足温器を提供することを課題とする。【解決手段】  加温部２０とそれを固定して載置した基台３０とコントローラ３から構成される電気足温器であって、加温部は挿入口２０ａの開口部が両足をそろえて挿入可能な横幅と足首付近まで挿入可能な高さの長方形断面で、先端部の開口２０ｂが先細りに形成された錘形筒状の本体１と、本体１内部に装着された筒状の電気毛布２とから構成され、前記基台３０は、底板４と、底板４先端に回動可能に軸支された傾斜板５と、該傾斜板５を任意の傾斜角度に調整可能な調整機構６とから構成され、利用者が就寝時に仰向け状態で両足を挿入し、足先を上下から加温することができることを特徴とする。【選択図】図１
0003110825.tif 000002
【実用新案登録請求の範囲】
【請求項１】
加温部とその加温部を固定して載置した基台と温度をコントロールするコントローラから構成される電気足温器であって、
前記加温部は、挿入口の開口部が両足をそろえて挿入可能な横幅と足首付近まで挿入可能な高さの長方形断面で、先端部の開口が先細りに形成された錘形筒状の本体と、本体内部に装着された筒状の電気毛布とから構成され、
前記基台は、底板と、底板先端に回動可能に軸支された傾斜板と、該傾斜板を任意の傾斜角度に調整可能な調整機構とから構成され、
利用者が就寝時に仰向け状態で両足を挿入し、足先を上下から加温することができることを特徴とする就寝用足温器。
【請求項２】
前記調整機構は、底板と傾斜板の間に設けた蛇腹構造の空気袋と空気挿入ポンプによる調整機構または高さ調節可能なスライド支柱による調整機構のいずれかによることを特徴とする請求項１記載の就寝用足温器。
【考案の詳細な説明】
【技術分野】
【０００１】
本考案は、就寝に際して使用可能な足温器に関する。
【背景技術】
【０００２】
従来、図３に示すような足温器が電気器具として製造販売されている。この形態の足温器１００は、ベース１０１の上部に、電熱線１０３が内蔵された足温部１０２が設けられ、足を覆う  長繊のアクリルボアなど保温性の高い繊維で形成されるフード１０４を備えた構造となっている。
【０００３】
この形態の足温器は、足のつま先から前部がフード１０４に覆われていて、机に腰掛けている場合の利用が中心となっており、業務や家事などでの立ち作業では、移動できない欠点がある。このため、スリッパ形態として両足にそれぞれ着用可能にされた足温器も製造されている（図示せず）。しかし、殆どの製品は、足の底部に当たる部分に熱源が装備されており、足の表面はフード１０４で覆って間接的に採熱させるものが大半であった。また、スリッパの形態では、電源線を接続するため移動の範囲が限られる問題があった。
【０００４】
また、従来の足温器は、足裏のみに発熱体が配置されており、足の甲部まで暖める構造ではない。このため、足の甲が冷たくなる血液循環不全から来る冷え性の利用者にとっては、時間をかけても足温器の効果がなかなか体現できない問題があった。
【０００５】
さらに、従来の足温器は、起立状態或いは、腰掛けた状態の利用に対応した構造であり、就寝時の姿勢での利用は難しい構造であった。
【０００６】
特許文献１には、足の甲までを含む足先全体を暖める足温器の構造が提案されているが、この発明では、電気料金の節減をも目的としており、発熱体として熱湯を用いており、腰掛けた状態の利用に限られている。
【０００７】
また、足先全体を加温するものとして、特許文献２が提案されている。この発明では、足温器本体の足が入る大きさの内部空間に足を出し入れする開口部を設け、足を入れた開口部を密閉する手段を設け、足温器本体内部に遠赤外線或いは赤外線を発光するランプを設け、足温器本体の内部を多湿雰囲気にする加湿手段を設けた遠赤外線又は赤外線を用いた足温器である。
【０００８】
この発明では、冷え易い体質の解消策として、足湯に代わるものとすることが課題のひとつとされており、部屋で、靴下などを履いたままでも利用できる効果はあるが、あくまでも、椅子などに座った姿勢での利用に限定された構造であった。
【０００９】
冷え性の場合、就寝時の足先の冷えが、睡眠を妨害する大きな問題であったが、従来の電気毛布は、足以外も暖めてしまい、電気アンカ等は足の一側面のみを暖めてしまうため、足先端部全体を効率よく暖めるものがなかった。
【００１０】
前記した従来の足温器は、立ち又は座り姿勢の利用のみの構造となっており、就寝時の仰向き状態の際には、利用が難しい問題があった。
【００１１】
【特許文献１】特開平１０−２２９９９６号公報（第２頁、第２図）
【特許文献２】特開２０００−５１３７６号公報（第２、３頁、第１図）
【考案の開示】
【考案が解決しようとする課題】
【００１２】
前記問題を解決するため、本考案は、就寝時に足先の角度調節が可能で、足先を上下から加温可能な足温器を提供することを課題とする。
【課題を解決するための手段】
【００１３】
前記課題を解決するため、本考案の就寝用足温器は、加温部とその加温部を固定して載置した基台と温度をコントロールするコントローラから構成される電気足温器であって、
前記加温部は、挿入口の開口部が両足をそろえて挿入可能な横幅と足首付近まで挿入可能な高さの長方形断面で、先端部の開口が先細りに形成された錘形筒状の本体と、本体内部に装着された筒状の電気毛布とから構成され、
前記基台は、底板と、底板先端に回動可能に軸支された傾斜板と、該傾斜板を任意の傾斜角度に調整可能な調整機構とから構成され、
利用者が就寝時に仰向け状態で両足を挿入し、足先を上下から加温することができることを特徴とする。
【００１４】
また、前記調整機構は、底板と傾斜板の間に設けた蛇腹構造の空気袋と空気挿入ポンプによる調整機構または高さ調節可能なスライド支柱による調整機構のいずれかによることを特徴とする。
【００１５】
この考案の就寝用足温器は、筒状の電気毛布であることから、上下、左右に発熱体が装備され、挿入した足先の周囲から採暖させるように作用する。
【００１６】
また、傾斜板の角度を上げることにより、加温部を上向きにさせ、就寝時の姿勢で上を向く足先を容易に挿入することができる角度とすることができる。
【考案の効果】
【００１７】
本考案によれば、正常な就寝姿勢で足先を効果的に暖めることができる。特に、血行不良などの病的な冷え性の解消、安眠促進に大きな効果を発揮する。
【００１８】
また、傾斜板を備え、加温部の角度を調節することができるため、就寝時の仰向け姿勢、起床事の座位のいずれの場合にも利用することができる。
【考案を実施するための最良の形態】
【００１９】
本考案の就寝用足温器の実施の形態を図に基づいて詳細に説明する。
【００２０】
図１は、本考案の就寝用足温器の実施の形態を示し、（ａ）は側面からの断面図、（ｂ）は加温部の正面からの断面図である。
【００２１】
就寝用足温器は、加温部２０とその加温部２０を固定して載置した基台３０と温度をコントロールするコントローラ３から構成される。
【００２２】
前記加温部２０は、挿入口２０ａの開口部が両足をそろえて挿入可能な横幅と足首付近まで挿入可能な高さの長方形断面で、先端部の開口２０ｂが先細りに形成された錘形筒状の本体１と、本体１内部に装着された筒状の電気毛布２とから構成される。
【００２３】
電気毛布２内部には発熱体２ａが全体にわたり装着され、発熱体２ａは制御ケーブル３ａによりコントローラ３に接続され、電源の供給、温度調整、電源断タイマー制御などがなされる。なお、図示しないが、発熱体２ａと併せて温度センサーも電気毛布の内部に装着させ、一定温度に保つようコントロールさせることが望ましい。
【００２４】
この加温部２０は、足先から、足首まで挿入可能な大きさで、足上下、左右の全体を暖めることができる。なお、長方形断面の挿入口２０ａの中央に、左右の足を分離するセパレータ柱（図示せず）を設けてもよい。
【００２５】
基台３０は、底板４と、底板４先端に回動可能に軸支部７で軸支された傾斜板５と、該傾斜板５を任意の傾斜角度に調整可能な調整機構６とから構成される。
【００２６】
この基台３０の上に加温部２０が固定されており、加温部２０の先端方向が上向きとされていることにより、利用者が就寝時に仰向け状態で両足を挿入することが可能となる。
【００２７】
図１（ｂ）は、加温部２０の挿入口２０ａの正面からの断面図で、図示するように発熱体２ａは、長方形断面を全体に周回するように設けられている。このため、電気毛布２の内面２ｂの上下左右４面が満遍なく温まる構造とされている。
【００２８】
従来の足温器は、殆ど足の下に発熱体が設けられ、フードで間接的に全体を暖める構造であったが、本考案は、その欠点を改め、足の左右、上からも採温させる構造としたものである。
【００２９】
次に、本考案の特徴である傾斜角度を調整可能な基台３０について詳細に説明する。
【００３０】
図２は、本考案の基台を示し、（ａ）は蛇腹構造の空気袋による調整機構の模式図、（ｂ）はスライド支柱による調整機構の模式図である。なお、図１と同じ機能は同一符号を付して説明を省略する。
【００３１】
図２（ａ）に示す蛇腹構造の空気袋による調整機構６Ａは、軸支部７により回動可能に接続された底板４と傾斜板５の間に蛇腹構造の空気袋６ａを設け、空気袋６ａの接続口６ｂに空気ポンプ８からのホース８ｃを取り付け、空気ポンプ８を手又は足でポンピングし、空気袋６ａを膨らませることにより傾斜板５の先端高さを上下させる。
【００３２】
なお、空気ポンプ８のポンプ部８ａには逆止調整弁８ｂが装備されており、ネジを弛めて空気を抜くと、空気袋６ａの蛇腹が縮み、傾斜板５の高さを低くすることができる。
【００３３】
図２（ｂ）に示すスライド支柱による調整機構６Ｂは、傾斜板５の両端に設けられた軸６ｄに回動可能に設けられた複数の長さの異なるスライド支柱６ｃの中から、所望の傾斜板の高さにあわせたスライド支柱６ｃを選び、スライド支柱を立てて底板４に設けたフック６ｅに掛けることにより、傾斜板の傾斜角度を調節するものである。図２（ｂ）には、長さの異なるスライド支柱を備える例を示したが、スライド支柱６ｃの長さを自在に変えることができる構造としてもよい。この例では、スライド支柱の長さを替えることにより傾斜板５の端部の高さが一点鎖線で示すように上下させることができる。
【００３４】
なお、本考案の傾斜板の角度調整に関しては、傾斜板５の高さを調整し固定する方法としてこの実施例に限るものではない。
【００３５】
本考案の実施にあたり、円筒状にした電気毛布の構造及び、その電気毛布の筒体を保持する構造、並びに電気毛布の筒体を足が挿入し易い角度に保持する台をそなえれば、材料、材質は不燃或いは難燃性であればいずれを用いてもよい。
【図面の簡単な説明】
【００３６】
【図１】本考案の就寝用足温器の実施の形態を示し、（ａ）は側面からの一部断面図、（ｂ）は加温部の正面からの断面図である。
【図２】本考案の基台を示し、（ａ）は蛇腹構造の空気袋による調整機構の模式図、（ｂ）はスライド支柱による調整機構の模式図である。
【図３】従来の電気足温器の断面模式図である。
【符号の説明】
【００３７】
１    本体
２    電気毛布
２ａ  発熱体
３    コントローラ
３ａ  制御ケーブル
３ｂ  電源コード
４    底板
５    傾斜板
６    調整機構
６ａ  空気袋
６ｂ  接続口
７    軸支部
８    空気ポンプ
８ａ  ポンプ部
８ｂ  逆止調整弁
８ｃ  ホース
２０    加温部
２０ａ  挿入口
２０ｂ  開口
３０    基台
【図１】
0003110825.tif 000003
【図２】
0003110825.tif 000004
【図３】
0003110825.tif 000005